(57)【要約】【課題】操作者が入力した音質調整の指示内容と操作者が感じる音質変化（心理音響学的感覚）とが適合した音質調整を行うことができる音質調整装置および音質調整方法を提供する。【解決手段】音質調整装置１は、操作者によって操作され、入力された音声信号の増強量または減衰量を含む音質調整の指示内容が入力される操作入力部５と、音声信号を増幅するイコライザ部３と、操作入力部５から入力された指示内容に基づいてイコライザ部３を制御する制御マイコン７とを備える。制御マイコン７は、操作者が選択した選択周波数帯域を増幅する場合に、選択周波数帯域を減衰したときの音声信号の音圧エネルギの減少量が、選択周波数帯域を増強したときの音声信号の音圧エネルギの増加量よりも大きくなるように、音圧レベルの減少率を増加率よりも大きい値に設定する。【選択図】      図１
2006261809.tif 000002
【特許請求の範囲】
【請求項１】
入力される音声信号の所定の周波数帯域を増強または減衰させる音質調整装置であって、
前記所定の周波数帯域に対する増強または減衰指示が入力される入力手段を備え、
前記入力手段から入力された指示に基づいて、前記所定の周波数帯域を増強または減衰させるとともに、減衰時の減少率を増強時の増加率よりも大きい値に設定することを特徴とする音質調整装置。
【請求項２】
所定の周波数帯域が複数設けられ、それぞれの周波数帯域について増強または減衰させるとともに、周波数帯域ごとに前記減少率および前記増加率を設定可能であることを特徴とする請求項１に記載の音質調整装置。
【請求項３】
周波数が低い帯域になるに従って大きい値になるように前記増加率および前記減少率を設定することを特徴とする請求項２に記載の音質調整装置。
【請求項４】
周波数が高い帯域になるに従って大きい値になるように前記増加率および前記減少率を設定することを特徴とする請求項２に記載の音質調整装置。
【請求項５】
入力される音声信号の所定の周波数帯域を増強または減衰させる音質調整装置であって、
前記所定の周波数帯域に対する増強または減衰指示が入力される入力手段を備え、
前記入力手段から入力された指示に基づいて、前記所定の周波数帯域を増強または減衰させるとともに、減衰用Ｑ値を増強用Ｑ値よりも小さい値に設定することを特徴とする音質調整装置。
【請求項６】
所定の周波数帯域が複数設けられ、それぞれの周波数帯域について増強または減衰させるとともに、周波数帯域ごとに前記減衰用Ｑ値および前記増強用Ｑ値を設定可能であることを特徴とする請求項５に記載の音質調整装置。
【請求項７】
周波数が低い帯域になるに従って小さい値になるように前記増強用Ｑ値および前記減衰用Ｑ値を設定することを特徴とする請求項６に記載の音質調整装置。
【請求項８】
周波数が高い帯域になるに従って小さい値になるように前記増強用Ｑ値および前記減衰用Ｑ値を設定することを特徴とする請求項６に記載の音質調整装置。
【請求項９】
入力される音声信号の所定の周波数帯域を増強または減衰させる音質調整方法であって、
前記所定の周波数帯域に対する増強または減衰指示に基づいて、前記所定の周波数帯域を増強または減衰させるとともに、減衰時の減少率を増強時の増加率よりも大きい値に設定することを特徴とする音質調整方法。
【請求項１０】
所定の周波数帯域が複数受けられ、それぞれの周波数帯域について増強または減衰させるとともに、周波数帯域ごとに前記減少率および前記増加率を設定可能であることを特徴とする請求項９に記載の音質調整方法。
【請求項１１】
周波数が低い帯域になるに従って大きい値になるように前記増加率および前記減少率を設定することを特徴とする請求項１０に記載の音質調整方法。
【請求項１２】
周波数が高い帯域になるに従って大きい値になるように前記増加率および前記減少率を
設定することを特徴とする請求項１０に記載の音質調整方法。
【請求項１３】
入力される音声信号の所定の周波数帯域を増強または減衰させる音質調整方法であって、
前記所定の周波数帯域に対する増強または減衰指示に基づいて、前記所定の周波数帯域を増強または減衰させるとともに、減衰用Ｑ値を増強用Ｑ値よりも小さい値に設定することを特徴とする音質調整方法。
【請求項１４】
所定の周波数帯域が複数設けられ、それぞれの周波数帯域について増強または減衰させるとともに、周波数帯域ごとに前記減衰用Ｑ値および前記増強用Ｑ値を設定可能であることを特徴とする請求項１３に記載の音質調整方法。
【請求項１５】
周波数が低い帯域になるに従って小さい値になるように前記増強用Ｑ値および前記減衰用Ｑ値を設定することを特徴とする請求項１４に記載の音質調整方法。
【請求項１６】
周波数が高い帯域になるに従って小さい値になるように前記増強用Ｑ値および前記減衰用Ｑ値を設定することを特徴とする請求項１４に記載の音質調整方法。
【発明の詳細な説明】
【技術分野】
【０００１】
本発明は、例えばオーディオ機器などに搭載されるトーンコントローラやグラフィックイコライザなどのように、出力する音声信号の音質を調整する音質調整装置および音質調整装置で実施される音質調整方法に関する。
【背景技術】
【０００２】
トーンコントローラやグラフィックイコライザなどの音質調整装置は、操作者が入力する音質調整内容に基づいて、入力される音声信号の所定の周波数帯域の音圧レベルを増減させて出力する装置である。典型的な従来の音質調整装置は、操作者が例えば音質調整つまみを操作して音質調整の指示内容として音圧レベルの増強量または減衰量を入力すると、入力された音声信号の所定の周波数帯域の音圧レベルを、入力された増強量または減衰量に基づいて求めた音圧レベル量だけ増加または減少させて出力している。変化させる音圧レベル量は、入力された増強量と所定の増加率との積または入力された減衰量と所定の減少率との積によって求められる。そして、増加率と減少率とは同じ値に設定されている。
【０００３】
また、入力される音声信号の複数の周波数帯域の音圧レベルをそれぞれ増減させて出力する音質調整装置もある。この音質調整装置は、操作者が音質調整の指示内容として変化させたい周波数帯域と音圧レベルの増強量または減衰量とを入力すると、入力された音声信号における指定された周波数帯域の音圧レベルを、入力された増強量または減衰量に基づいて求めた音圧レベル量だけ増加または減少させて出力している。変化させる音圧レベルは、上述したように、入力された増強量と所定の増加率との積または入力された減衰量と所定の減少率との積によって求められる。そして、増加率と減少率とは、全ての周波数帯域において同じ値に設定されている。
【０００４】
また、音質調整をより効果的に行うために、人間の心理音響学的感覚を考慮して音質調整を行う技術が提案されている。例えば、特許文献１には、低周波範囲内の各基本周波数に対して、調波列を有する信号を発生し、残留調波信号と低周波信号とのラウドネス整合属性を実質的に達成するように、残留調波信号にラウドネス整合を適用して、聴取者に効率よく擬似的な低周波の心理音響学的感覚を与えるバス強調方法が開示されている。
【特許文献１】特表２０００−５０５２７７号公報
【発明の開示】
【発明が解決しようとする課題】
【０００５】
音質調整装置によって音質が調整された音声信号を再生（音響化）した場合、心理音響学によれば、人間の可聴周波数帯域において、ある周波数帯域の音圧レベルを増減するとき、増減する音圧レベル量が同じであっても、音圧レベルを上げたときに人間が感じる音圧レベルの上がり具合よりも、音圧レベルを下げたときに人間が感じる音圧レベルの下がり具合の方が小さいことが知られている。典型的な従来の音質調整装置では、ある周波数帯域の音圧レベルを変化させる際の増加率と減少率とは同じ値に設定されているため、操作者が入力する増強量と減衰量とが同じであっても、操作者の心理音響学的感覚においては音圧レベルの上がり具合よりも、音圧レベルの下がり具合の方が小さく感じられることになる。
【０００６】
また心理音響学によれば、例えば１キロヘルツを中心周波数とする周波数帯域（１キロヘルツ帯域という）では、人間の聴覚は音圧レベルの変化に対して最も敏感であることが知られている。一方、１キロヘルツ帯域よりも低い周波数帯域（例えば２５０ヘルツや５
００ヘルツを中心周波数とする周波数帯域）、および１キロヘルツ帯域よりも高い周波数帯域（例えば２キロヘルツや４キロヘルツを中心周波数とする周波数帯域）では、１キロヘルツ帯域に比べて人間の聴覚は音圧レベルの変化に対して鈍感になる（参考：ロビンソン・ダッドソンの曲線）。典型的な従来の音質調整装置では、音圧レベルを変化させる際の変化率（増加率および減少率）は全ての周波数帯域で同じ値に設定されているため、例えば操作者が入力する増強量が同じであっても、操作者にとっては１キロヘルツ帯域における音圧レベルの上がり具合よりも、１キロヘルツ帯域以外の帯域における音圧レベルの上がり具合の方が小さく感じられることになる。
【０００７】
このように従来の音質調整装置では、操作者が入力した音質調整の指示内容（増強量または減衰量ならびに周波数帯域）と、操作者が実際に感じる音質変化（心理音響学的感覚）とにずれが生じてしまうという問題がある。
【０００８】
また、前述した特許文献１では、心理音響学的感覚を考慮した音質調整が行われているが、特許文献１に記載の技術は、低周波に対する心理音響学的感覚を改善するための技術であり、音圧レベルの変化に対する心理音響学的感覚を改善するための技術ではない。
【０００９】
本発明の目的は、操作者が入力した音質調整の指示内容と心理音響学的感覚とが適合した音質調整を行うことができる音質調整装置および音質調整方法を提供することにある。
【課題を解決するための手段】
【００１０】
請求項１に係る発明は、入力される音声信号の所定の周波数帯域を増強または減衰させる音質調整装置であって、
前記所定の周波数帯域に対する増強または減衰指示が入力される入力手段を備え、
前記入力手段から入力された指示に基づいて、前記所定の周波数帯域を増強または減衰させるとともに、減衰時の減少率を増強時の増加率よりも大きい値に設定することを特徴とする音質調整装置である。
【００１１】
また請求項９に係る発明は、入力される音声信号の所定の周波数帯域を増強または減衰させる音質調整方法であって、
前記所定の周波数帯域に対する増強または減衰指示に基づいて、前記所定の周波数帯域を増強または減衰させるとともに、減衰時の減少率を増強時の増加率よりも大きい値に設定することを特徴とする音質調整方法である。
【００１２】
本発明に従えば、操作者が入力手段から増強または減衰指示を入力すると、入力された音声信号の所定の周波数帯域が前記指示内容に基づいて増強または減衰されて出力される。本発明では、音声信号の減衰時の減少率は増強時の増加率よりも大きい値に設定されるので、操作者が入力した増強量と減衰量とが同じ場合でも、音圧エネルギについては増加エネルギ量よりも減少エネルギ量の方が大きくなる。このように、操作者が入力した増強量と減衰量とが同じであっても、音声信号を減衰させるときの減少エネルギ量は、増強させるときの増加エネルギ量よりも大きくなるので、操作者の心理音響学的感覚においては音圧レベルの上がり具合と下がり具合とが同程度に感じられることになる。
【００１３】
請求項２および請求項１０に係る発明は、所定の周波数帯域が複数設けられ、それぞれの周波数帯域について増強または減衰させるとともに、周波数帯域ごとに前記減少率および前記増加率を設定可能であることを特徴としている。
【００１４】
本発明に従えば、操作者が入力手段から増幅する周波数帯域の種類と増強または減衰指示を入力すると、入力された音声信号における指示された周波数帯域が増強または減衰されて出力される。周波数帯域の種類の入力は、１種類だけでもよいし、２種類以上でもよ
いし、全種類であってもよい。本発明では、周波数帯域ごとに減少率および増加率が設定可能である。
【００１５】
例えば、低周波数帯域における増加率と高周波数帯域における増加率とを、標準周波数帯域における増加率よりも大きい値に設定すれば、操作者が入力した各周波数帯域の増強量が同じ場合でも、音圧エネルギについては標準周波数帯域の増加エネルギ量よりも低周波数帯域の増加エネルギ量および高周波数帯域の増加エネルギ量の方が大きくなる。このように、操作者が入力する各周波数帯域の増強量が同じであっても、低周波数帯域および高周波数帯域を増強させるときの増加エネルギ量は、標準周波数帯域を増強させるときの増加エネルギ量よりも大きくなるので、操作者の心理音響学的感覚においては低周波数帯域と標準周波数帯域と高周波数帯域との３種類の周波数帯域の音圧レベルの上がり具合が同程度に感じられることになる。
【００１６】
また、低周波数帯域における減少率と高周波数帯域における減少率とを、標準周波数帯域における減少率よりも大きい値に設定すれば、操作者が入力した各周波数帯域の減衰量が同じ場合でも、音圧エネルギについては標準周波数帯域の減少エネルギ量よりも低周波数帯域の減少エネルギ量および高周波数帯域の減少エネルギ量の方が大きくなる。このように、操作者が入力する各周波数帯域の減衰量が同じであっても、低周波数帯域および高周波数帯域を減衰させるときの減少エネルギ量は、標準周波数帯域を減衰させるときの減少エネルギ量よりも大きくなるので、操作者の心理音響学的感覚においては低周波数帯域と標準周波数帯域と高周波数帯域との３種類の周波数帯域の音圧レベルの下がり具合が同程度に感じられることになる。
【００１７】
請求項３および請求項１１に係る発明は、周波数が低い帯域になるに従って大きい値になるように前記増加率および前記減少率を設定することを特徴としている。
本発明に従えば、複数の周波数帯域におけるそれぞれの増加率は、周波数が低い帯域になるに従って大きい値に設定されるので、操作者が入力した増強量が同じ場合でも、音圧エネルギについては周波数が低い帯域の方が増加エネルギ量が大きくなる。このように、操作者が入力する増強量が同じであっても、周波数帯域を増強させるときの増加エネルギ量は、周波数が低い帯域の方がより大きくなるので、操作者の心理音響学的感覚においては複数の周波数帯域における音圧レベルの上がり具合が同程度に感じられることになる。また、複数の周波数帯域におけるそれぞれの減少率も、周波数が低い帯域になるに従って大きい値に設定されるので、操作者が入力した減衰量が同じ場合でも、音圧エネルギについては周波数が低い帯域の方が減少エネルギ量が大きくなる。このように、操作者が入力する減衰量が同じであっても、周波数帯域を減衰させるときの減少エネルギ量は、周波数が低い帯域の方がより大きくなるので、操作者の心理音響学的感覚においては複数の周波数帯域における音圧レベルの下がり具合が同程度に感じられることになる。
【００１８】
請求項４および請求項１２に係る発明は、周波数が高い帯域になるに従って大きい値になるように前記増加率および前記減少率を設定することを特徴としている。
本発明に従えば、周波数帯域が複数ある場合、複数の周波数帯域におけるそれぞれの増加率は、周波数が高い帯域になるに従って大きい値に設定されるので、操作者が入力した増強量が同じ場合でも、音圧エネルギについては周波数が高い帯域の方が増加エネルギ量が大きくなる。このように、操作者が入力する増強量が同じであっても、周波数帯域を増強させるときの増加エネルギ量は、周波数が高い帯域の方がより大きくなるので、操作者の心理音響学的感覚においては複数の周波数帯域における音圧レベルの上がり具合が同程度に感じられることになる。また、複数の周波数帯域におけるそれぞれの減少率も、周波数が高い帯域になるに従って大きい値に設定されるので、操作者が入力した減衰量が同じ場合でも、音圧エネルギについては周波数が高い帯域の方が減少エネルギ量が大きくなる。このように、操作者が入力する減衰量が同じであっても、周波数帯域を減衰させるとき
の減少エネルギ量は、周波数が高い帯域の方がより大きくなるので、操作者の心理音響学的感覚においては複数の周波数帯域における音圧レベルの下がり具合が同程度に感じられることになる。
【００１９】
請求項５に係る発明は、入力される音声信号の所定の周波数帯域を増強または減衰させる音質調整装置であって、
前記所定の周波数帯域に対する増強または減衰指示が入力される入力手段を備え、
前記入力手段から入力された指示に基づいて、前記所定の周波数帯域を増強または減衰させるとともに、減衰用Ｑ値を増強用Ｑ値よりも小さい値に設定することを特徴とする音質調整装置である。
【００２０】
また請求項１３に係る発明は、入力される音声信号の所定の周波数帯域を増強または減衰させる音質調整方法であって、
前記所定の周波数帯域に対する増強または減衰指示に基づいて、前記所定の周波数帯域を増強または減衰させるとともに、減衰用Ｑ値を増強用Ｑ値よりも小さい値に設定することを特徴とする音質調整方法である。
【００２１】
本発明に従えば、操作者が入力手段から増強または減衰指示を入力すると、入力された音声信号の所定の周波数帯域が前記指示内容に基づいて増強または減衰されて出力される。本発明では、減衰用Ｑ値は増強用Ｑ値よりも小さい値に設定されるので、操作者が入力した増強量と減衰量とが同じ場合でも、音圧エネルギについては増加エネルギ量よりも減少エネルギ量の方が大きくなる。このように、操作者が入力する増強量と減衰量とが同じであっても、音声信号を減衰させるときの音圧エネルギの減少量が増強させるときの増加量よりも大きくなるので、操作者の心理音響学的感覚においては音圧レベルの上がり具合と下がり具合とが同程度に感じられることになる。
【００２２】
請求項６および請求項１４に係る発明は、所定の周波数帯域が複数設けられ、それぞれの周波数帯域について増強または減衰させるとともに、周波数帯域ごとに前記減衰用Ｑ値および前記増強用Ｑ値を設定可能であることを特徴としている。
【００２３】
本発明に従えば、操作者が入力手段から増幅する周波数帯域の種類と増強または減衰指示を入力すると、入力された音声信号における指示された周波数帯域が増強または減衰されて出力される。周波数帯域の種類の入力は、１種類だけでもよいし、２種類以上でもよいし、全種類であってもよい。本発明では、周波数帯域ごとに減衰用Ｑ値および増強用Ｑ値が設定可能である。
【００２４】
例えば、低周波数帯域における増強用Ｑ値と高周波数帯域における増強用Ｑ値とを、標準周波数帯域における増強用Ｑ値よりも小さい値に設定すれば、操作者が入力した各周波数帯域の増強量が同じ場合でも、音圧エネルギについては標準周波数帯域の増加エネルギ量よりも低周波数帯域の増加エネルギ量および高周波数帯域の増加エネルギ量の方が大きくなる。このように、操作者が入力する各周波数帯域の増強量が同じであっても、低周波数帯域および高周波数帯域を増強させるときの増加エネルギ量が標準周波数帯域を増強させるときの増加エネルギ量よりも大きくなるので、操作者の心理音響学的感覚においては低周波数帯域と標準周波数帯域と高周波数帯域との３種類の周波数帯域の音圧レベルの上がり具合が同程度に感じられることになる。
【００２５】
また、低周波数帯域における減衰用Ｑ値と高周波数帯域における減衰用Ｑ値とを、標準周波数帯域における減衰用Ｑ値よりも小さい値に設定すれば、操作者が入力した各周波数帯域の減衰量が同じ場合でも、音圧エネルギについては標準周波数帯域の減少エネルギ量よりも低周波数帯域の減少エネルギ量および高周波数帯域の減少エネルギ量の方が大きく
なる。このように、操作者が入力する各周波数帯域の減衰量が同じであっても、低周波数帯域および高周波数帯域を減衰させるときの減少エネルギ量が標準周波数帯域を減衰させるときの減少エネルギ量よりも大きくなるので、操作者の心理音響学的感覚においては低周波数帯域と標準周波数帯域と高周波数帯域との３種類の周波数帯域の音圧レベルの下がり具合が同程度に感じられることになる。
【００２６】
請求項７および請求項１５に係る発明は、周波数が低い帯域になるに従って小さい値になるように前記増強用Ｑ値および前記減衰用Ｑ値を設定することを特徴としている。
本発明に従えば、周波数帯域が複数ある場合、複数の周波数帯域におけるそれぞれの増強用Ｑ値は、周波数が低い帯域になるに従って小さい値に設定されるので、操作者が入力した増強量が同じ場合でも、音圧エネルギについては周波数が低い帯域の方が増加エネルギ量が大きくなる。このように、操作者が入力する増強量が同じであっても、周波数帯域を増強させるときの増加エネルギ量については周波数が低い帯域の方がより大きくなるので、操作者の心理音響学的感覚においては複数の周波数帯域における音圧レベルの上がり具合が同程度に感じられることになる。また、複数の周波数帯域におけるそれぞれの減衰用Ｑ値も、周波数が低い帯域になるに従って大きい値に設定されるので、操作者が入力した減衰量が同じ場合でも、音圧エネルギについては周波数が低い帯域の方が減少エネルギ量が大きくなる。このように、操作者が入力する減衰量が同じであっても、周波数帯域を減衰させるときの減少エネルギ量については周波数が低い帯域の方がより大きくなるので、操作者の心理音響学的感覚においては複数の周波数帯域における音圧レベルの下がり具合が同程度に感じられることになる。
【００２７】
請求項８および請求項１６に係る発明は、周波数が高い帯域になるに従って小さい値になるように前記増強用Ｑ値および前記減衰用Ｑ値を設定することを特徴としている。
本発明に従えば、周波数帯域が複数ある場合、複数の周波数帯域におけるそれぞれの増強用Ｑ値は、周波数が高い帯域になるに従って小さい値に設定されるので、操作者が入力した増強量が同じ場合でも、音圧エネルギについては周波数が高い帯域の方が増加エネルギ量が大きくなる。このように、操作者が入力する増強量が同じであっても、周波数帯域を増強させるときの増加エネルギ量については周波数が高い帯域の方がより大きくなるので、操作者の心理音響学的感覚においては複数の周波数帯域における音圧レベルの上がり具合が同程度に感じられることになる。また、複数の周波数帯域におけるそれぞれの減衰用Ｑ値も、周波数が高い帯域になるに従って小さい値に設定されるので、操作者が入力した減衰量が同じ場合でも、音圧エネルギについては周波数が高い帯域の方が減少エネルギ量が大きくなる。このように、操作者が入力する減衰量が同じであっても、周波数帯域を減衰させるときの減少エネルギ量については周波数が高い帯域の方がより大きくなるので、操作者の心理音響学的感覚においては複数の周波数帯域における音圧レベルの下がり具合が同程度に感じられることになる。
【発明の効果】
【００２８】
本発明によれば、操作者が入力した音質調整の指示内容と操作者が実際に感じる音質変化（心理音響学的感覚）とが適合した音質調整を行うことができる。これによって、人間の聴覚に適合した音質調整を容易に行うことができる。したがって、操作に不慣れな操作者であっても、人間の聴覚に適合した音質調整を容易に行うことができるようになる。
【発明を実施するための最良の形態】
【００２９】
（第１の実施形態）
以下、本発明の第１実施形態を、図１〜図３を参照しながら説明する。図１は、本発明の第１実施形態である音質調整装置１の構成を示すブロック図であり、図２は、音質調整装置１の外観を示す平面図である。音質調整装置１は、例えば記録媒体に記録されている音声信号を読み出す読出装置１０と、音声信号を含む電波を受信して復調するチューナ１
１と、スピーカ１２とを含むオーディオ機器などに搭載される。音質調整装置１は、読出装置１０によって読み出された音声信号や、チューナ１１によって復調された音声信号の音質を調整する装置であり、例えばトーンコントローラやグラフィックイコライザなどの音質調整装置で実現される。音声信号が記録されている記録媒体は、図１に示されているコンパクトディスク（ＣＤ）、ミニディスク（ＭＤ）およびハードディスク（ＨＤＤ）だけでなく、例えばディジタルヴァーサタイルディスク（ＤＶＤ）であってもよい。
【００３０】
音質調整装置１は、入力選択部２、イコライザ部３、アンプ４、操作入力部５、表示部６、制御マイコン７および係数記憶部８を含んで構成される。入力選択部２は、読出装置１０およびチューナ１１のいずれか１つを選択して、選択されたものから出力される音声信号を入力してイコライザ部３に与える。
【００３１】
イコライザ部３は、入力選択部２からの音声信号をスペクトル解析し、音声信号における所定の周波数帯域を増幅して、アンプ４に与える。アンプ４は、イコライザ部３によって増幅された音声信号を増幅して、スピーカ１２に与える。
【００３２】
入力手段である操作入力部５は、操作者によって操作され、入力された音声信号の音圧レベルの増強量または減衰量ならびに増幅する周波数帯域の種類を含む音質調整内容が入力され、その音質調整内容を制御マイコン７に与える。詳細には、操作入力部５は、図２に示すように、ＵＰボタン５ａ、ＤＯＷＮボタン５ｂ、２つの周波数切換ボタン５ｃ，５ｄを備える。
【００３３】
周波数切換ボタン５ｃ，５ｄは、複数の周波数帯域の中から増幅したい周波数帯域を選択するために操作するボタンであり、各周波数帯域の中心周波数の中から１つの中心周波数を選択することによって、増幅したい周波数帯域が選択される。ここでは、複数の周波数帯域の中心周波数は、２５０ヘルツ、１キロヘルツ、４キロヘルツとする。１キロヘルツを中心周波数とする周波数帯域を標準周波数帯域（図３では「Ｍｉｄ」で表される）とし、１キロヘルツよりも低い２５０ヘルツを中心周波数とする周波数帯域を低周波数帯域（図３では「Ｂａｓｓ」で表される）とし、１キロヘルツよりも高い４キロヘルツを中心周波数とする周波数帯域を高周波数帯域（図３では「Ｔｒｅｂ」で表される）とする。初期状態では、例えば複数の中心周波数の中で中央に位置する中心周波数、ここでは１キロヘルツが選択されている。
【００３４】
操作者が一方の周波数切換ボタン５ｃを押圧すると、そのときに選択されている中心周波数よりも１段階低い中心周波数を選択する指令が制御マイコン７に与えられる。例えば、中心周波数として１キロヘルツが選択されている初期状態で周波数切換ボタン５ｃが押圧されると、中心周波数として２５０ヘルツを選択する指令が制御マイコン７に与えられる。
【００３５】
また、操作者が他方の周波数切換ボタン５ｄを押圧すると、そのときに選択されている中心周波数よりも１段階高い中心周波数を選択する指令が制御マイコン７に与えられる。例えば、中心周波数として１キロヘルツが選択されている初期状態で周波数切換ボタン５ｄが押圧されると、中心周波数として４キロヘルツを選択する指令が制御マイコン７に与えられる。
【００３６】
ＵＰボタン５ａおよびＤＯＷＮボタン５ｂは、選択された中心周波数を含む周波数帯域（以下、選択周波数帯域という）を増幅する際の増強量または減衰量を入力するために操作するボタンである。初期状態では、増強量または減衰量は例えば「０」に設定されている。初期状態から操作者がＵＰボタン５ａを押圧すると、選択周波数帯域を１段階（「１ｓｔｅｐ」ということがある）増強する指令が制御マイコン７に与えられる。１段階増強
するとは、予め定める増加率に基づいて求められる増加量だけ周波数帯域の音圧レベルを増加させることをいう。増加率とは、１段階ごとの音圧レベルの増加量を示す数値である。したがって、操作者がＵＰボタン５ａを押圧するたびに、選択周波数帯域を増強する段階の数（増強量）が、０→＋１段階→＋２段階→＋３段階→…のように１ずつ増加する。ここでの「＋」は、周波数帯域を増強することを示す記号である。
【００３７】
また、初期状態から操作者がＤＯＷＮボタン５ｂを押圧すると、入力される音声信号における選択周波数帯域を１ｓｔｅｐ減衰する指令が制御マイコン７に与えられる。１ｓｔｅｐ減衰するとは、予め定める減少率に基づいて求められる増加量だけ周波数帯域の音圧レベルを減少させることをいう。減少率とは、１段階ごとの音圧レベルの減少量を示す数値である。したがって、操作者がＤＯＷＮボタン５ｂを押圧するたびに、選択周波数帯域を減衰する段階の数（減衰量）が、０→−１段階→−２段階→−３段階…のように１ずつ減少する。ここでの「−」は、周波数帯域を減衰することを示す記号である。
【００３８】
表示部６は、音声信号がどのように増幅されているかを表示したり、イコライザ部３によるスペクトル解析の結果を棒グラフおよび曲線などで表示したりする。制御マイコン７は、マイクロコンピュータで実現され、音質調整装置１を統括的に制御する。係数記憶部８は、例えば揮発性メモリおよび不揮発性メモリなどで実現され、複数の周波数帯域における増加率および減少率を記憶している。
【００３９】
図３は、音質調整装置１による音声調整態様を説明するための説明図である。図３の縦軸は音質調整装置１による音圧レベルの変化量を表し、横軸は周波数を表す。
まず、操作者が操作入力部５の周波数切換ボタン５ｃ，５ｄを押圧して所望の中心周波数を選択すると、選択された中心周波数が制御マイコン７に与えられる。ここでは、中心周波数として１キロヘルツを選択し、標準周波数帯域が選択周波数帯域である場合を説明する。次に、操作者が操作入力部５のＵＰボタン５ａを押圧して＋１ｓｔｅｐを入力すると、制御マイコン７には、選択周波数帯域の音圧レベルを１ｓｔｅｐ増強する指令が与えられる。この指令に基づいて制御マイコン７は、選択周波数帯域の音圧レベルを予め定める増加率に基づいて求められた増加量だけ増強する指令、例えば選択周波数帯域を＋１デシベル増幅する指令をイコライザ部３に与える。ここでは増加率は、１デシベル／１ｓｔｅｐである。
【００４０】
イコライザ部３は制御マイコン７からの指令に基づいて、入力選択部２からの音声信号における選択周波数帯域の音圧レベルを求められた増加量だけ増強、即ちここでは＋１デシベル増幅して、アンプ４に与える。例えば高周波数帯域を＋１デシベル増幅するとは、図３に示すように、選択周波数帯域の最低周波数から中心周波数に向かうに従って音圧レベルの増加量が徐々に増加し、中心周波数の音圧レベルの増加量が最大値であって１デシベルであり、中心周波数から最高周波数に向かうに従って音圧レベルの増加量が徐々に減少するような変化曲線ａ１に従って、選択周波数帯域の音圧レベルを増加させることをいう。したがって、操作者が操作入力部５のＵＰボタン５ａを押圧して増強量を１ｓｔｅｐずつ増加させると、選択周波数帯域の増幅量が＋１デシベルずつ増加する。なお、＋２デシベル増幅するときは変化曲線ａ２に従って音圧レベルを変化させ、＋３デシベル増幅するときは変化曲線ａ３に従って音圧レベルを変化させ、−１デシベル増幅するときは変化曲線ｂ１に従って音圧レベルを変化させ、−２デシベル増幅するときは変化曲線ｂ２に従って音圧レベルを変化させ、−３デシベル増幅するときは変化曲線ｂ３に従って音圧レベルを変化させる。
【００４１】
一方、操作者が操作入力部５のＤＯＷＮボタン５ｂを押圧して−１ｓｔｅｐを入力すると、制御マイコン７には、選択周波数帯域の音圧レベルを１ｓｔｅｐ減衰する指令が与えられる。この指令に基づいて制御マイコン７は、選択周波数帯域の音圧レベルを予め定め
る減少率に基づいて求められた減少量だけ減衰する指令、例えば選択周波数帯域を−２デシベル増幅する指令をイコライザ部３に与える。ここでは減少率は、２デシベル／１ｓｔｅｐである。
【００４２】
イコライザ部３は制御マイコン７からの指令に基づいて、入力選択部２からの音声信号における選択周波数帯域の音圧レベルを求められた減少量だけ減衰、即ちここでは−２デシベル増幅して、アンプ４に与える。−２デシベル増幅するとは、図３に示すように、選択周波数帯域の最低周波数から中心周波数に向かうに従って音圧レベルの減少量が徐々に増加し、中心周波数の音圧レベルの減少量が最大値であって２デシベルであり、中心周波数から最高周波数に向かうに従って音圧レベルの減少量が徐々に減少するような変化曲線に従って、選択周波数帯域の音圧レベルを減少させることをいう。したがって、操作者が操作入力部５のＤＯＷＮボタン５ｂを押圧して減少量を１ｓｔｅｐずつ増加させると、選択周波数帯域の増幅量が−２デシベルずつ増加する。
【００４３】
なお、中心周波数として２５０ヘルツを選択し、低周波数帯域が選択周波数帯域である場合、および中心周波数として４キロヘルツを選択し、高周波数帯域が選択周波数帯域である場合も、標準周波数帯域が選択周波数帯域である場合と同様の制御が行われるので、説明は省略する。
【００４４】
このように本実施形態では、制御マイコン７は、操作者が入力した増強量または減衰量に従って選択周波数帯域を増幅する場合に、減衰量から音圧レベルの減少量を求めるための減衰率を、増強量から音圧レベルの増加量を求めるための増加率よりも大きい値に設定している。したがって、選択周波数帯域を１ｓｔｅｐずつ減衰するときの音圧レベルの減少量が、選択周波数帯域を１ｓｔｅｐずつ増強するときの音圧レベルの増加量よりも大きくなる。具体的には、ＵＰボタン５ａが押圧されて０から１ｓｔｅｐずつ増強量が増加するときは増幅量が１デシベルずつ増加し、ＤＯＷＮボタン５ｂが押圧されて０から１ｓｔｅｐずつ減衰量が増加するときは増幅量が−２デシベルずつ増加する。換言すれば、制御マイコン７は、操作者が入力した増強量または減衰量に従って選択周波数帯域を増幅する場合に、減衰量から音圧エネルギの減少量を求めるための減衰率を、増強量から音圧エネルギの増加量を求めるための増加率よりも大きい値に設定していることになる。これは、音声信号の音圧レベルを変化させれば、音声信号の音圧エネルギが変化するからである。したがって、制御マイコン７は、選択周波数帯域を１ｓｔｅｐ減衰したときの音圧エネルギの減少量が、選択周波数帯域を１ｓｔｅｐ増強したときの音圧エネルギの増加量よりも大きくなるようにイコライザ部３を制御している。
【００４５】
ここで、音圧エネルギの変化量（増加量または減少量）とは、図３に示す音圧レベルの変化曲線と横軸とで囲まれる部分の面積である。図３を見てわかるように、音声信号における選択周波数帯域を増幅する場合に、選択周波数帯域を１ｓｔｅｐ減衰するときの変化曲線と横軸とで囲まれる面積が、選択周波数帯域を１ｓｔｅｐ増強するときの変化曲線と横軸とで囲まれる面積よりも大きくなっていることがわかる。この関係は、２ｓｔｅｐ減衰したときと２ｓｔｅｐ増強したときとにおいても、３ｓｔｅｐ減衰したときと３ｓｔｅｐ増強したときとにおいても、同様に成立している。
【００４６】
第１実施形態によれば、以下の効果を得ることができる。
（１）第１実施形態によれば、操作者がＵＰボタン５ａを押圧して増強量を０から１ｓｔｅｐずつ増加させたときの音圧エネルギの増加量よりも、操作者がＤＯＷＮボタン５ｂを押圧して減衰量を０から１ｓｔｅｐずつ増加させたときの音圧エネルギの減少量の方が大きくなる。したがって、選択周波数帯域を１ｓｔｅｐ増強させたときの音圧レベルの上がり具合と、１ｓｔｅｐ減衰させたときの音圧レベルの下がり具合とを、操作者は同程度に感じ取ることができる。これによって、操作者が入力した音質調整内容と操作者が感じ
る実際の音声信号の音質変化（心理音響学的感覚）とが適合した音質調整を行うことができる。したがって、操作に不慣れな操作者であっても、人間の聴覚に適合した音質調整を容易に行うことができるようになる。
【００４７】
なお、第１実施形態は、以下のように変更してもよい。
・上記実施形態では、増強する際の音圧レベルの増加率を１デシベル／１ｓｔｅｐとし、減衰する際の音圧レベルの減少率を２デシベル／１ｓｔｅｐとしたけれども、減衰する際の音圧レベルの減少率が、増強する際の音圧レベルの増加率よりも大きければよい。
【００４８】
・上記実施形態では、音質調整の対象となる周波数帯域を３つ設定しているけれども、４つ以上の周波数帯域を設定してもよいし、２つの周波数帯域を設定してもよい。また、音質調整の対象となる周波数帯域を１つだけ設定するようにしてもよい。
【００４９】
（第２の実施形態）
次に、本発明の第２実施形態を、図４を参照しながら説明する。なお、第２実施形態は、第１実施形態の音質調整態様を変更した構成であるため、同様の部分についてはその詳細な説明を省略する。図４は、第２実施形態による音声調整態様を示す説明図である。図４の縦軸は音質調整装置１による音圧レベルの変化量を表し、横軸は周波数を表す。
【００５０】
第２実施形態では、音圧レベルの増加率について、低周波数帯域における増加率と高周波数帯域における増加率とを、標準周波数帯域における増加率よりも大きい値に設定するとともに、音圧レベルの減少率について、低周波数帯域における減少率と高周波数帯域における減少率とを、標準周波数帯域における減少率よりも大きい値に設定している。さらに、各周波数帯域における増加率および減少率については、減少率を増加率よりも大きい値に設定している。
【００５１】
（１）標準周波数帯域を増幅する場合
まず、操作者が操作入力部５の周波数切換ボタン５ｃ，５ｄを押圧して中心周波数として１キロヘルツを選択すると、中心周波数として１キロヘルツが選択された旨の指令が制御マイコン７に与えられる。次に、操作者が操作入力部５のＵＰボタン５ａを押圧して＋１ｓｔｅｐを入力すると、制御マイコン７には、標準周波数帯域の音圧レベルを１ｓｔｅｐ増強する指令が与えられる。この指令に基づいて制御マイコン７は、標準周波数帯域の音圧レベルを予め定める増加率に基づいて求められた増加量だけ増強する指令、例えば標準周波数帯域を＋１デシベル増幅する指令をイコライザ部３に与える。ここでは増加率は、１デシベル／１ｓｔｅｐである。
【００５２】
イコライザ部３は制御マイコン７からの指令に基づいて、入力選択部２からの音声信号における標準周波数帯域の音圧レベルを求められた増加量だけ増強、即ちここでは＋１デシベル増幅して、アンプ４に与える。したがって、操作者が操作入力部５のＵＰボタン５ａを押圧して増強量を１ｓｔｅｐずつ増加させると、入力選択部２からの音声信号における標準周波数帯域の増幅量が＋１デシベルずつ増加する。
【００５３】
一方、操作者が操作入力部５のＤＯＷＮボタン５ｂを押圧して−１ｓｔｅｐを入力すると、制御マイコン７には、標準周波数帯域の音圧レベルを１ｓｔｅｐ減衰する指令が与えられる。この指令に基づいて制御マイコン７は、標準周波数帯域の音圧レベルを予め定める減少率に基づいて求められた減少量だけ減衰する指令、例えば標準周波数帯域を−２デシベル増幅する指令をイコライザ部３に与える。ここでは減少率は、２デシベル／１ｓｔｅｐである。
【００５４】
イコライザ部３は制御マイコン７からの指令に基づいて、入力選択部２からの音声信号
における標準周波数帯域の音圧レベルを求められた減少量だけ減衰、即ちここでは−２デシベル増幅して、アンプ４に与える。したがって、操作者が操作入力部５のＤＯＷＮボタン５ｂを押圧して減衰量を１ｓｔｅｐずつ増加させると、入力選択部２からの音声信号における標準周波数帯域の増幅量が−２デシベルずつ増加する。
【００５５】
（２）低周波数帯域を増幅する場合
まず、操作者が操作入力部５の周波数切換ボタン５ｃ，５ｄを押圧して中心周波数として２５０ヘルツを選択すると、中心周波数として２５０ヘルツが選択された旨の指令が制御マイコン７に与えられる。次に、操作者が操作入力部５のＵＰボタン５ａを押圧して＋１ｓｔｅｐを入力すると、制御マイコン７には、低周波数帯域の音圧レベルを１ｓｔｅｐ増強する指令が与えられる。この指令に基づいて制御マイコン７は、低周波数帯域の音圧レベルを予め定める増加率に基づいて求められた増加量だけ増強する指令、例えば低周波数帯域を＋２デシベル増幅する指令をイコライザ部３に与える。ここでは増加率は、２デシベル／１ｓｔｅｐである。
【００５６】
イコライザ部３は制御マイコン７からの指令に基づいて、入力選択部２からの音声信号における低周波数帯域の音圧レベルを求められた増加量だけ増強、即ちここでは＋２デシベル増幅して、アンプ４に与える。したがって、操作者が操作入力部５のＵＰボタン５ａを押圧して増強量を１ｓｔｅｐずつ増加させると、入力選択部２からの音声信号における低周波数帯域の増幅量が＋２デシベルずつ増加する。
【００５７】
一方、操作者が操作入力部５のＤＯＷＮボタン５ｂを押圧して−１ｓｔｅｐを入力すると、制御マイコン７には、低周波数帯域の音圧レベルを１ｓｔｅｐ減衰する指令が与えられる。この指令に基づいて制御マイコン７は、低周波数帯域の音圧レベルを予め定める減少率に基づいて求められた減少量だけ減衰する指令、例えば低周波数帯域を−３デシベル増幅する指令をイコライザ部３に与える。ここでは減少率は、３デシベル／１ｓｔｅｐである。
【００５８】
イコライザ部３は制御マイコン７からの指令に基づいて、入力選択部２からの音声信号における低周波数帯域の音圧レベルを求められた減少量だけ減衰、即ちここでは−３デシベル増幅して、アンプ４に与える。したがって、操作者が操作入力部５のＤＯＷＮボタン５ｂを押圧して減衰量を１ｓｔｅｐずつ増加させると、入力選択部２からの音声信号における低周波数帯域の増幅量が−３デシベルずつ増加する。
【００５９】
（３）高周波数帯域を増幅する場合
高周波数帯域を増加する場合は、操作者が操作入力部５の周波数切換ボタン５ｃ，５ｄを押圧して中心周波数として４キロヘルツを選択することを除けば、低周波数帯域を増幅する場合と同じ制御が行われるので、説明を省略する。
【００６０】
各周波数帯域における増強量および減衰量と増幅量との関係は、以下の表１のとおりである。
【００６１】
【表１】
2006261809.tif 000003
このように本実施形態では、制御マイコン７は、操作者が入力した増強量に基づいて音圧レベルの増加量を求めるための増加率について、低周波数帯域の増加率と高周波数帯域の増加率とを、標準周波数帯域の増加率よりも大きい値に設定している。また、制御マイコン７は、操作者が入力した減衰量に基づいて音圧レベルの減少量を求めるための減少率について、低周波数帯域の減少率と高周波数帯域の減少率とを、標準周波数帯域の減少率よりも大きい値に設定している。
【００６２】
具体的には、標準周波数帯域が選択されている場合には、ＵＰボタン５ａが押圧されて０から１ｓｔｅｐずつ増強量が増加するときは増幅量が＋１デシベルずつ増加し、ＤＯＷＮボタン５ｂが押圧されて０から１ｓｔｅｐずつ減衰量が増加するときは増幅量が−２デシベルずつ増加する。一方、低周波数帯域または高周波数帯域が選択されている場合には、ＵＰボタン５ａが押圧されて＋１ｓｔｅｐずつ増強量が増加するときは増幅量が＋２デシベルずつ増加し、ＤＯＷＮボタン５ｂが押圧されて０から１ｓｔｅｐずつ減衰量が増加するときは増幅量が−３デシベルずつ増加する。
【００６３】
換言すれば、制御マイコン７は、低周波数帯域および高周波数帯域を１ｓｔｅｐ増強したときの音圧エネルギの増加量が、標準周波数帯域を１ｓｔｅｐ増強したときの音圧エネルギの増加量よりも大きくなるようにイコライザ部３を制御している。また、制御マイコン７は、低周波数帯域および高周波数帯域を１ｓｔｅｐ減衰したときの音圧エネルギの減少量が、標準周波数帯域を１ｓｔｅｐ減衰したときの音圧エネルギの減少量よりも大きくなるようにイコライザ部３を制御している。
【００６４】
ここで、音圧エネルギの変化量（増加量または減少量）とは、図４に示す音圧レベルの変化曲線と横軸とで囲まれる部分の面積である。図４を見てわかるように、低周波数帯域および高周波数帯域を１ｓｔｅｐ増強したときの変化曲線ａ１１，ａ１２と横軸とで囲まれる面積が、標準周波数帯域を１ｓｔｅｐ増強したときの変化曲線ａ１３と横軸とで囲まれる面積よりも大きくなっていることがわかる。この関係は、２ｓｔｅｐ増強するときおよび３ｓｔｅｐ増強するときも成立している。さらに、減衰するときも、低周波数帯域および高周波数帯域における変化曲線と横軸とで囲まれる面積が、標準周波数帯域における変化曲線と横軸とで囲まれる面積よりも大きくなっている。
【００６５】
さらに、本実施形態では、第１実施形態と同様に、制御マイコン７は、操作者が入力した増強量または減衰量に従って選択周波数帯域を増幅する場合に、減衰量から音圧レベルの減少量を求めるための減衰率を、増強量から音圧レベルの増加量を求めるための増加率よりも大きい値に設定している。したがって、選択周波数帯域を１ｓｔｅｐずつ減衰するときの音圧レベルの減少量が、選択周波数帯域を１ｓｔｅｐずつ増強するときの音圧レベ
ルの増加量よりも大きくなる。
【００６６】
このように第２実施形態では、操作者が標準周波数帯域を増強するために増強量を０から１ｓｔｅｐずつ増加させたときの音圧エネルギの増加量よりも、低周波数帯域および高周波数帯域を増強するために増強量を０から１ｓｔｅｐずつ増加させたときの音圧エネルギの増加量の方が大きくなる。また、操作者が標準周波数帯域を減衰するために減衰量を０から１ｓｔｅｐずつ増加させたときの音圧エネルギの減少量よりも、低周波数帯域および高周波数帯域を減衰するために減衰量を０から１ｓｔｅｐずつ増加させたときの音圧エネルギの減少量の方が大きくなる。
【００６７】
したがって、標準周波数帯域を１ｓｔｅｐ増強させたときの音圧レベルの上がり具合と、低周波数帯域および高周波数帯域を１ｓｔｅｐ増強させたときの音圧レベルの上がり具合とを、操作者は同程度に感じることができる。また同様に、標準周波数帯域を１ｓｔｅｐ減衰させたときの音圧レベルの下がり具合と、低周波数帯域および高周波数帯域を１ｓｔｅｐ減衰させたときの音圧レベルの下がり具合とを、操作者は同程度に感じることができる。
【００６８】
なお、第１実施形態と同様に、各周波数帯域において、操作者がＵＰボタン５ａを押圧して増強量を０から１ｓｔｅｐずつ増加させたときの音圧エネルギの増加量よりも、操作者がＤＯＷＮボタン５ｂを押圧して減衰量を０から１ｓｔｅｐずつ増加させたときの音圧エネルギの減少量の方が大きくなる。したがって、選択周波数帯域を１ｓｔｅｐ増強させたときの音圧レベルの上がり具合と、１ｓｔｅｐ減衰させたときの音圧レベルの下がり具合とを、操作者は同程度に感じ取ることができる。
【００６９】
以上説明したように、第２実施形態においても、第１実施形態と同じ効果を得ることができる。
なお、第２実施形態は、以下のように変更してもよい。
【００７０】
・上記実施形態では、標準周波数帯域が選択されている場合は、音圧レベルの増加率を１デシベル／１ｓｔｅｐとし、音圧レベルの減少率を２デシベル／１ｓｔｅｐとしたけれども、音圧レベルの減少率が、音圧レベルの増加率よりも大きければよい。同様に、低周波数帯域および高周波数帯域が選択されている場合は、音圧レベルの増加率を２デシベル／１ｓｔｅｐとし、音圧レベルの減少率を３デシベル／１ｓｔｅｐとしたけれども、音圧レベルの減少率が、音圧レベルの増加率よりも大きければよい。
【００７１】
・上記実施形態では、音質調整の対象となる周波数帯域を３つ設定しているけれども、４つ以上の周波数帯域を設定してもよいし、２つの周波数帯域を設定してもよい。また、音質調整の対象となる周波数帯域を１つだけ設定するようにしてもよい。
【００７２】
・低周波数帯域および高周波数帯域をそれぞれ２以上設定する場合は、音圧レベルの増加率を、標準周波数帯域から周波数帯域が遠ざかるにつれて大きい値となるように設定し、音圧レベルの減少率を、標準周波数帯域から遠ざかるにつれて大きい値となるように設定すればよい。これによって、より効果的な音質調整を行うことができる。例えば、中心周波数が１キロヘルツの標準周波数帯域では、増強時の増加率を１デシベル／１ｓｔｅｐとし、減衰時の減少率を２デシベル／１ｓｔｅｐとし、中心周波数が２５０ヘルツおよび５００ヘルツの低周波数帯域ならびに中心周波数が２キロヘルツおよび４キロヘルツの高周波数帯域では、増強時の増加率を＋１．５デシベル／１ｓｔｅｐとし、減衰時の減少率を２．５デシベル／１ｓｔｅｐとし、中心周波数が６３ヘルツおよび１２５ヘルツの超低周波数帯域ならびに中心周波数が８キロヘルツおよび１６キロヘルツの超高周波帯域では、増強時の増加率を２デシベル／１ｓｔｅｐとし、減衰時の減少率を３デシベル／１ｓｔ
ｅｐとすればよい。
【００７３】
（第３の実施形態）
次に、本発明の第３実施形態を説明する。なお、第３実施形態は、第１実施形態の音質調整態様を変更した構成であるため、同様の部分についてはその詳細な説明を省略する。
【００７４】
第３実施形態では、基準値である０からのｓｔｅｐ数（増強量または減衰量）が大きくなるに従って、音圧レベルの増加率および減少率が大きくなるように設定している。さらに、さらに音圧レベルの増加率および減少率については、減少率を増加率よりも大きい値に設定している。下記の表２は、標準周波数帯域における増強量および減衰量と増幅量との関係の一例を示している。
【００７５】
【表２】
2006261809.tif 000004
上記の表２に示す音質調整態様では、＋１ｓｔｅｐを入力すると＋１デシベル増幅され、＋２ｓｔｅｐを入力すると＋３デシベル増幅され、＋３デシベルを入力すると＋６デシベル増幅される。また、−１ｓｔｅｐを入力すると−２デシベル増幅され、−２ｓｔｅｐを入力すると−６デシベル増幅され、−３ｓｔｅｐを入力すると−１２デシベル増幅される。
【００７６】
また、低周波数帯域および高周波数帯域においても、標準周波数帯域と同様の関係が成立している。以上説明したように、第３実施形態においても、第１実施形態と同じ効果を得ることができる。
【００７７】
（第４の実施形態）
次に、本発明の第４実施形態を、図５および図６を参照しながら説明する。なお、第４実施形態は、第１実施形態の音質調整態様を変更した構成であるため、同様の部分についてはその詳細な説明を省略する。
【００７８】
第４実施形態では、音圧レベルの減少率を、音圧レベルの増加率よりも大きい値に設定している。即ち、ＤＯＷＮボタン５ｂを１回押して１ｓｔｅｐ減衰させるときの音圧レベルの減少率を、ＵＰボタン５ａを１回押して１ｓｔｅｐ増強させるときの音圧レベルの増加率よりも大きい値に設定している。
【００７９】
図５は、音質調整時の処理手順を説明するためのフローチャートであり、図６は音質調整時の処理手順を示すタイミングチャートである。ステップｎ１では、制御マイコン７はＵＰボタン５ａが押されたか否かを判断する。ＵＰボタン５ａが押されたと判断した場合は、ステップｎ２に進む。ステップｎ２では、制御マイコン７は増幅量を１デシベル増加させる指令をイコライザ部３に与える。即ち、図６に示すように、ＵＰボタン５ａが押されたタイミングｔ１，ｔ２，ｔ３，ｔ７，ｔ８で、それぞれイコライザ部３の増幅量が１デシベルずつ増加する。その後、処理はステップｎ３に進む。
【００８０】
一方、ステップｎ２においてＵＰボタン５ａが押されていないと判断した場合は、ステップｎ４に進む。ステップｎ４では、制御マイコン７はＤＯＷＮボタン５ｂが押されたか否かを判断する。ＤＯＷＮボタン５ｂが押されたと判断した場合は、ステップｎ５に進み、ＤＯＷＮボタン５ｂが押されていないと判断した場合は、ステップｎ１に戻る。ステップｎ５では、制御マイコン７は増幅量を２デシベル減少させる指令をイコライザ部３に与える。即ち、図６に示すように、ＤＯＷＮボタン５ｂが押されたタイミングｔ４，ｔ５，ｔ６，ｔ９で、それぞれイコライザ部３の増幅量が２デシベルずつ減少する。その後、処理はステップｎ３に進む。
【００８１】
ステップｎ３では、制御マイコン７は音質調整が終了したか否かを判断する。音質調整が終了したか否かは、操作入力部５からの入力内容に基づいて判断する。音質調整が終了していないと判断した場合は、ステップｎ１に戻り、音質調整が終了したと判断した場合は、処理を終了する。以上説明したように、第４実施形態においても、第１実施形態と同じ効果を得ることができる。
【００８２】
（第５の実施形態）
次に、本発明の第５実施形態を、図７を参照しながら説明する。なお、第５実施形態は、第１実施形態の音質調整態様を変更した構成であるため、同様の部分についてはその詳細な説明を省略する。
【００８３】
第５実施形態では、音圧レベルの減少率を、音圧レベルの増加率よりも大きい値に設定するとともに、調整操作時に設定されている現在の増幅量に応じて増加率および減少率を変更するようにしている。即ち、ＤＯＷＮボタン５ｂを１回押して１ｓｔｅｐ減衰させるときの音圧レベルの減少率を、ＵＰボタン５ａを１回押して１ｓｔｅｐ増強させるときの音圧レベルの増加率よりも大きい値に設定し、さらに減少率および増加率を、現在の増幅量に応じてそれぞれ変更するようにしている。
【００８４】
図７は、音質調整時の処理手順を説明するためのフローチャートである。ステップｍ１では、制御マイコン７はＵＰボタン５ａが押されたか否かを判断する。ＵＰボタン５ａが押されたと判断した場合は、ステップｍ２に進む。ステップｍ２では、制御マイコン７はイコライザ部３に現在設定されている増幅量に応じて増加量を決定する。例えば下記の表３に従って増加量を決定する。表３は、係数記憶部８に予め記憶されている。
【００８５】
【表３】
2006261809.tif 000005
ステップｍ３では、制御マイコン７はステップｍ２で決定した増幅量を設定する指令をイコライザ部３に与える。その後、処理はステップｍ４に進む。
【００８６】
一方、ステップｍ２においてＵＰボタン５ａが押されていないと判断した場合は、ステップｍ５に進む。ステップｍ５では、制御マイコン７はＤＯＷＮボタン５ｂが押されたか
否かを判断する。ＤＯＷＮボタン５ｂが押されたと判断した場合は、ステップｍ６に進み、ＤＯＷＮボタン５ｂが押されていないと判断した場合は、ステップｍ１に戻る。ステップｍ６では、制御マイコン７はイコライザ部３に現在設定されている増幅量に応じて減少量を決定する。例えば下記の表４に従って減少量を決定する。表４は、係数記憶部８に予め記憶されている。
【００８７】
【表４】
2006261809.tif 000006
ステップｍ７では、制御マイコン７はステップｍ６で決定した減少量を設定する指令をイコライザ部３に与える。その後、処理はステップｍ４に進む。
【００８８】
ステップｍ４では、制御マイコン７は音質調整が終了したか否かを判断する。音質調整が終了したか否かは、操作入力部５からの入力内容に基づいて判断する。音質調整が終了していないと判断した場合は、ステップｍ１に戻り、音質調整が終了したと判断した場合は、処理を終了する。以上説明したように、第５実施形態においても、第１実施形態と同じ効果を得ることができる。
【００８９】
（第６の実施形態）
次に、本発明の第６実施形態を、図８および図９を参照しながら説明する。なお、第６実施形態は、第１実施形態の音質調整態様を変更した構成であるため、同様の部分についてはその詳細な説明を省略する。図８は、第６実施形態による音声調整態様を示す説明図である。図８の縦軸は音質調整装置１による音圧レベルの変化量を表し、横軸は周波数を表す。
【００９０】
第６実施形態では、後述するＱ値について、音声信号を減衰するときの減衰用Ｑ値を、音声信号を増強するときの増強用Ｑ値よりも小さい値に設定している。図９は、Ｑ値と音圧エネルギとの関係を説明するための説明図である。図９に示す曲線Ｌ１，Ｌ２は、音質調整時における周波数ごとの音圧レベルの変化量（図９では増加量）を示す曲線である。変化曲線Ｌ１，Ｌ２の変化パターンはほぼ同じであり、最低周波数から中心周波数に向かうにつれて音圧レベルが徐々に増加し、中心周波数での音圧レベルが最大値となり、中心周波数から最高周波数に向かうにつれて音圧レベルが徐々に減少する変化パターンである。
【００９１】
Ｑ値とは、音声信号における振幅応答の鋭さを示す数値であり、Ｑ値が大きいほど音圧レベルの変化曲線が鋭くなる。変化曲線Ｌ１のＱ値であるＱ１は次式（１）で表される。
Ｑ１＝ｆｃ／（ｆＨ１−ｆＬ１）                    …（１）
式（１）においてｆｃは変化曲線Ｌ１で示される周波数帯域の中心周波数、ｆＬ１は変化曲線Ｌ１で示される周波数帯域の最低周波数、ｆＨ１は変化曲線Ｌ１で示される周波数帯域の最高周波数である。また、変化曲線Ｌ２のＱ値であるＱ２は次式（２）で表される。
【００９２】
Ｑ２＝ｆｃ／（ｆＨ２−ｆＬ２）                    …（２）
式（２）においてｆｃは変化曲線Ｌ２で示される周波数帯域の中心周波数、ｆＬ２は変化曲線Ｌ２で示される周波数帯域の最低周波数、ｆＨ２は変化曲線Ｌ２で示される周波数帯域の最高周波数である。図９に示すように変化曲線Ｌ１よりも変化曲線Ｌ２の方が鋭いので、Ｑ２はＱ１よりも大きい値をとることがわかる。
【００９３】
また、音圧エネルギの変化量は、変化曲線Ｌ２よりも変化曲線Ｌ１の方が大きいこともわかる。音圧エネルギの変化量とは、図９に示す音圧レベルの変化曲線と横軸とで囲まれる部分の面積である。したがって、音圧レベルの変化パターンがほぼ同じである場合は、Ｑ値が大きい方が、音圧エネルギの変化量は小さくなる。
【００９４】
再び図８を参照しながら、音声信号の音質調整手順を説明する。まず、操作者が操作入力部５の周波数切換ボタン５ｃ，５ｄを押圧して所定の中心周波数を選択すると、選択された中心周波数が制御マイコン７に与えられる。ここでは、中心周波数として１キロヘルツを選択し、標準周波数帯域が選択周波数帯域である場合を説明する。次に、操作者が操作入力部５のＵＰボタン５ａを押圧して＋１ｓｔｅｐを入力すると、制御マイコン７には、選択周波数帯域の音圧レベルを１ｓｔｅｐ増強する指令が与えられる。この指令に基づいて制御マイコン７は、選択周波数帯域の音圧レベルを、予め定める増加率に基づいて求められた増加量だけ増強する指令、例えば選択周波数帯域を＋１デシベル増幅する指令をイコライザ部３に与える。ここでは増加率は、１デシベル／１ｓｔｅｐである。
【００９５】
イコライザ部３は制御マイコン７からの指令に基づいて、入力選択部２からの音声信号における選択周波数帯域の音圧レベルを求められた増加量だけ増強、即ちここでは＋１デシベル増幅して、アンプ４に与える。＋１デシベル増幅するとは、図８に示すように、選択周波数帯域の最低周波数から中心周波数に向かうに従って音圧レベルの増加量が徐々に増加し、中心周波数の音圧レベルの増加量が最大値であって１デシベルであり、中心周波数から最高周波数に向かうに従って音圧レベルの増加量が徐々に減少するような変化曲線ａ２１，ａ２２，ａ２３に従って、選択周波数帯域の音圧レベルを増加させることをいう。したがって、操作者が操作入力部５のＵＰボタン５ａを押圧して増強量を１ｓｔｅｐずつ増加させると、入力選択部２からの音声信号における選択周波数帯域の増幅量が＋１デシベルずつ増加する。
【００９６】
一方、操作者が操作入力部５のＤＯＷＮボタン５ｂを押圧して−１ｓｔｅｐを入力する、制御マイコン７には、選択周波数帯域の音圧レベルを１ｓｔｅｐ減衰する指令が与えられる。この指令に基づいて制御マイコン７は、選択周波数帯域の音圧レベルを予め定める減少率に基づいて求められた減少量だけ減衰する指令、例えば選択周波数帯域を−１デシベル増幅する指令をイコライザ部３に与える。ここでは減少率は、１デシベル／１ｓｔｅｐである。
【００９７】
イコライザ部３は制御マイコン７からの指令に基づいて、入力選択部２からの音声信号における選択周波数帯域の音圧レベルを求められた減少量だけ減衰、即ちここでは−１デシベル増幅して、アンプ４に与える。−１デシベル増幅するとは、図８に示すように、選択周波数帯域の最低周波数から中心周波数に向かうに従って音圧レベルの減少量が徐々に増加し、中心周波数の音圧レベルの減少量が最大値であって１デシベルであり、中心周波数から最高周波数に向かうに従って音圧レベルの減少量が徐々に減少するような変化曲線ｂ２１，ｂ２２，ｂ２３に従って、選択周波数帯域の音圧レベルを減少させることをいう。したがって、操作者が操作入力部５のＤＯＷＮボタン５ｂを押圧して減少量を１ｓｔｅｐずつ増加させると、入力選択部２からの音声信号における選択周波数帯域の増幅量が−１デシベルずつ増加する。
【００９８】
このとき、選択周波数帯域の音圧レベルを減衰する場合は、選択周波数帯域の音圧レベ
ルを増強する場合よりも、Ｑ値を小さくしている。例えば、選択周波数帯域の音圧レベルを１ｓｔｅｐ（１デシベル）減衰するときのＱ値は０．８であり、選択周波数帯域の音圧レベルを１ｓｔｅｐ（１デシベル）増強するときのＱ値は１である。
【００９９】
したがって、制御マイコン７は、音声信号における選択周波数帯域を増幅する場合に、減衰するときの音圧レベルの減少率と、増強するときの音圧レベルの増加率とを等しくするとともに、減衰用Ｑ値を増強用Ｑ値よりも小さい値となるようにイコライザ部３を制御している。具体的には、ＵＰボタン５ａが押圧されて０から１ｓｔｅｐずつ増強量が増加するときは増幅量が＋１デシベルずつ増加し、ＤＯＷＮボタン５ｂが押圧されて０から１ｓｔｅｐずつ減衰量が増加するときは増幅量が−１デシベルずつ増加する。そして、このとき増強用Ｑ値は１とし、減衰用Ｑ値は０．８としている。換言すれば、制御マイコン７は、音声信号における選択周波数帯域を増幅する場合に、１ｓｔｅｐ減衰させたときの音圧エネルギの減少量が、１ｓｔｅｐ増強させたときの音圧エネルギの増加量よりも大きくなるようにイコライザ部３を制御している。
【０１００】
なお、中心周波数として２５０ヘルツを選択し、低周波数帯域が選択周波数帯域である場合、および中心周波数帯域として４キロヘルツを選択し、高周波数帯域が選択周波数帯域である場合も、標準周波数帯域が選択周波数帯域である場合と同様の制御が行われるので、説明は省略する。
【０１０１】
このように第６実施形態では、操作者がＵＰボタン５ａを押圧して増強量を０から１ｓｔｅｐずつ増加させたときの音圧エネルギの増加量よりも、操作者がＤＯＷＮボタン５ｂを押圧して減衰量を０から１ｓｔｅｐずつ増加させたときの音圧エネルギの減衰量の方が大きくなる。したがって、選択周波数帯域を１ｓｔｅｐ増加させたときの音圧レベルの上がり具合と、１ｓｔｅｐ減衰させたときの音圧レベルの下がり具合とを、同程度に感じ取ることができる。これによって、操作者が入力した音質調整内容と操作者が感じる実際の音声信号の音質変化（心理音響学的感覚）とが適合した音質調整を行うことができる。したがって、操作に不慣れな操作者であっても、人間の聴覚に適合した音質調整を容易に行うことができるようになる。
【０１０２】
以上説明したように、第６実施形態においても、第１実施形態と同じ効果を得ることができる。
なお、第６実施形態は、以下のように変更してもよい。
【０１０３】
・上記実施形態では、増強用Ｑ値を１、減衰用Ｑ値を０．８としたけれども、減衰用Ｑ値が増強用Ｑ値よりも小さい値であれば、どのような値に設定してもよい。
・上記実施形態では、操作者が入力した増強量から音圧レベルの増加量を求める増加率と、操作者が入力した減衰量から音圧レベルの減少量を求める減少率とを、同じ値に設定したけれども、第１実施形態のように、減少率を増加率よりも大きな値に設定してもよい。また、第２実施形態のように、低周波数帯域における増加率および高周波数帯域における増加率を、標準周波数帯域における増加率よりも大きい値に設定するとともに、低周波数帯域における減少率および高周波数帯域における減少率を、標準周波数帯域における減少率よりも大きい値に設定するようにしてもよい。
【０１０４】
・上記実施形態では、音質調整の対象となる周波数帯域を３つ設定しているけれども、４つ以上の周波数帯域を設定してもよいし、２つの周波数帯域を設定してもよい。また、音質調整の対象となる周波数帯域を１つだけ設定するようにしてもよい。
【０１０５】
（第７の実施形態）
次に、本発明の第７実施形態を、図１０を参照しながら説明する。なお、第７実施形態
は、第６実施形態の音質調整態様を変更した構成であるため、同様の部分についてはその詳細な説明を省略する。図１０は、第７実施形態による音質調整態様を示す説明図である。図１０の縦軸は音質調整装置１による音圧レベルの変化量を表し、横軸は周波数を表す。
【０１０６】
第７実施形態では、増強用Ｑ値について、低周波数帯域における増強用Ｑ値と高周波数帯域における増強用Ｑ値とを、標準周波数帯域における増強用Ｑ値よりも小さい値に設定するとともに、減衰用Ｑ値について、低周波数帯域における減衰用Ｑ値と高周波数帯域における減衰用Ｑ値とを、標準周波数帯域における増強用Ｑ値よりも小さい値に設定している。さらに、各周波数帯域における増強用Ｑ値および減衰用Ｑ値については、減少用Ｑ値を増強用Ｑ値よりも小さい値に設定している。
【０１０７】
（１）標準周波数帯域を増幅する場合
まず、操作者が操作入力部５の周波数切換ボタン５ｃ，５ｄを押圧して中心周波数として１キロヘルツを選択すると、中心周波数として１キロヘルツが選択された旨の指令が制御マイコン７に与えられる。次に、操作者が操作入力部５のＵＰボタン５ａを押圧して＋１ｓｔｅｐを入力すると、制御マイコン７には、標準周波数帯域の音圧レベルを１ｓｔｅｐ増強する指令が与えられる。この指令に基づいて制御マイコン７は、標準周波数帯域の音圧レベルを予め定める増加率に基づいて求められた増加量だけ増強する指令、例えば標準周波数帯域を＋１デシベル増幅する指令をイコライザ部３に与える。ここでは、増加率は１デシベル／１ｓｔｅｐである。
【０１０８】
イコライザ部３は制御マイコン７からの指令に基づいて、標準周波数帯域の音圧レベルを求められた増加量だけ増強、即ちここでは＋１デシベル増幅して、アンプ４に与える。したがって、操作者が操作入力部５のＵＰボタン５ａを押圧して増強量を１ｓｔｅｐずつ増加させると、標準周波数帯域の増幅量が＋１デシベルずつ増加する。
【０１０９】
一方、操作者が操作入力部５のＤＯＷＮボタン５ｂを押圧して−１ｓｔｅｐを入力すると、制御マイコン７には、標準周波数帯域の音圧レベルを１ｓｔｅｐ減衰する指令が与えられる。この指令に基づいて制御マイコン７は、標準周波数帯域の音圧レベルを予め定める減少率に基づいて求められた減少量だけ減衰する指令、例えば−１デシベル増幅する指令をイコライザ部３に与える。ここでは減少率は、１デシベル／１ｓｔｅｐである。
【０１１０】
イコライザ部３は制御マイコン７からの指令に基づいて、入力選択部２からの音声信号における標準周波数帯域の音圧レベルを求められた減少量だけ減衰、即ちここでは−１デシベル増幅して、アンプ４に与える。したがって、操作者が操作入力部５のＤＯＷＮボタン５ｂを押圧して減衰量を１ｓｔｅｐずつ増加させると、入力選択部２からの音声信号における標準周波数帯域の増幅量が−１デシベルずつ増加する。
【０１１１】
このとき、標準周波数帯域を減衰させるときの減衰用Ｑ値は、標準周波数帯域を増強するときの増強用Ｑ値をよりも小さい値に設定している。例えば、標準周波数帯域を増強させるときの増強用Ｑ値は１であり、標準周波数帯域を減衰させるときの減衰用Ｑ値は０．８である。
【０１１２】
（２）低周波数帯域を増幅する場合
まず、操作者が操作入力部５の周波数切換ボタン５ｃ，５ｄを押圧して中心周波数として２５０ヘルツを選択すると、中心周波数として２５０ヘルツが選択された旨の指令が制御マイコン７に与えられる。次に、操作者が操作入力部５のＵＰボタン５ａを押圧して＋１ｓｔｅｐを入力すると、制御マイコン７には、低周波数帯域の音圧レベルを１ｓｔｅｐ増強する指令が与えられる。この指令に基づいて制御マイコン７は、低周波数帯域の音圧
レベルを予め定める増加率に基づいて求められた増加量だけ増強する指令、例えば低周波数帯域を＋１デシベル増幅する指令をイコライザ部３に与える。ここでは増加率は１デシベル／１ｓｔｅｐである。
【０１１３】
イコライザ部３は制御マイコン７からの指令に基づいて、低周波数帯域の音圧レベルを求められた増加量だけ増強、即ちここでは＋１デシベル増幅して、アンプ４に与える。したがって、操作者が操作入力部５のＵＰボタン５ａを押圧して増強量を１ｓｔｅｐずつ増加させると、低周波数帯域の増幅量が＋１デシベルずつ増加する。
【０１１４】
一方、操作者が操作入力部５のＤＯＷＮボタン５ｂを押圧して−１ｓｔｅｐを入力すると、制御マイコン７には、低周波数帯域の音圧レベルを１ｓｔｅｐ減衰する指令が与えられる。この指令に基づいて制御マイコン７は、低周波数帯域の音圧レベルを予め定める減少率に基づいて求められた減少量だけ減衰する指令、例えば低周波数帯域を１デシベル増幅する指令をイコライザ部３に与える。ここでは減少率は、１デシベル／１ｓｔｅｐである。
【０１１５】
イコライザ部３は制御マイコン７からの指令に基づいて、低周波数帯域の音圧レベルを求められた減少量だけ減衰、即ちここでは−１デシベル増幅して、アンプ４に与える。したがって、操作者が操作入力部５のＤＯＷＮボタン５ｂを押圧して減衰量を１ｓｔｅｐずつ増加させると、低周波数帯域の増幅量が−１デシベルずつ増加する。
【０１１６】
このとき、低周波数帯域を減衰させるときの減衰用Ｑ値を、低周波数帯域を増強させるときの増強用Ｑ値よりも小さい値に設定している。例えば、低周波数帯域を増強させるときの増強用Ｑ値は０．９であり、低周波数帯域を減衰させるときの減衰用Ｑ値は０．７である。
【０１１７】
（３）高周波数帯域を増幅する場合
高周波数帯域を増加する場合は、操作者が操作入力部５の周波数切換ボタン５ｃ，５ｄを押圧して中心周波数として４キロヘルツを選択することを除けば、低周波数帯域を増幅する場合と同じ制御が行われるので、説明を省略する。
【０１１８】
このように本実施形態では、制御マイコン７は、増強用Ｑ値について、低周波数帯域および高周波数帯域を増強させるときの増強用Ｑ値を、標準周波数帯域を増強させるときの増強用Ｑ値よりも小さい値に設定している。また、制御マイコン７は、減衰用Ｑ値について、低周波数帯域および高周波数帯域を減衰させるときの減衰用Ｑ値を、標準周波数帯域を減衰させるときの減衰用Ｑ値よりも小さい値に設定している。
【０１１９】
換言すれば、制御マイコン７は、低周波数帯域および高周波数帯域を１ｓｔｅｐ増強したときの音圧エネルギの増加量が、標準周波数帯域を１ｓｔｅｐ増強したときの音圧エネルギの増加量よりも大きくなるようにイコライザ部３を制御している。また、制御マイコン７は、低周波数帯域および高周波数帯域を１ｓｔｅｐ減衰したときの音圧エネルギの減少量が、標準周波数帯域を１ｓｔｅｐ減衰したときの音圧エネルギの減少量よりも大きくなるようにイコライザ部３を制御している。
【０１２０】
ここで、音圧エネルギの変化量（増加量または減少量）とは、図１０に示す音圧レベルの変化曲線と横軸とで囲まれる部分の面積である。図１０を見てわかるように、低周波数帯域および高周波数帯域を１ｓｔｅｐ増強したときの変化曲線ａ３１，ａ３２と横軸とで囲まれる面積が、標準周波数帯域を１ｓｔｅｐ増強したときの変化曲線ａ３３と横軸とで囲まれる面積よりも大きくなっていることがわかる。この関係は、２ｓｔｅｐ増強するときおよび３ｓｔｅｐ増強するときも成立している。さらに、減衰するときも、低周波数帯
域および高周波数帯域における変化曲線と横軸とで囲まれる面積が、標準周波数帯域における変化曲線と横軸とで囲まれる面積よりも大きくなっている。
【０１２１】
さらに、本実施形態では、第６実施形態と同様に、制御マイコン７は、選択周波数帯域を増幅する場合に、減衰用Ｑ値を増強用Ｑ値よりも小さい値に設定している。したがって、選択周波数帯域を０から１ｓｔｅｐずつ減衰するときの音圧エネルギの減少量が、選択周波数帯域を０から１ｓｔｅｐずつ増強するときの音圧エネルギの増加量よりも大きくなる。
【０１２２】
このように第７実施形態では、操作者が標準周波数帯域を増強するために増強量を０から１ｓｔｅｐずつ増加させたときの音圧エネルギの増加量よりも、低周波数帯域および高周波数帯域を増強するために増強量を０から１ｓｔｅｐずつ増加させたときの音圧エネルギの増加量の方が大きくなる。また、操作者が標準周波数帯域を減衰するために減衰量を０から１ｓｔｅｐずつ増加させたときの音圧エネルギの減少量よりも、低周波数帯域および高周波数帯域を減衰するために減衰量を０から１ｓｔｅｐずつ増加させたときの音圧エネルギの減少量の方が大きくなる。
【０１２３】
したがって、標準周波数帯域を１ｓｔｅｐ増強させたときの音圧レベルの上がり具合と、低周波数帯域および高周波数帯域を１ｓｔｅｐ増強させたときの音圧レベルの上がり具合とを、操作者は同程度に感じることができる。また同様に、標準周波数帯域を１ｓｔｅｐ減衰させたときの音圧レベルの下がり具合と、低周波数帯域および高周波数帯域を１ｓｔｅｐ減衰させたときの音圧レベルの下がり具合とを、操作者は同程度に感じることができる。
【０１２４】
なお、第７実施形態においても第６実施形態と同様に、各周波数帯域において、操作者がＵＰボタン５ａを押圧して増強量を０から１ｓｔｅｐずつ増加させたときの音圧エネルギの増加量よりも、操作者がＤＯＷＮボタン５ｂを押圧して減衰量を０から１ｓｔｅｐずつ増加させたときの音圧エネルギの減少量の方が大きくなる。したがって、選択周波数帯域において、１ｓｔｅｐ増強させたときの音圧レベルの上がり具合と、１ｓｔｅｐ減衰させたときの音圧レベルの下がり具合とを、操作者は同程度に感じ取ることができる。
【０１２５】
以上説明したように、第７実施形態においても、第６実施形態と同じ効果を得ることができる。
なお、第７実施形態は、以下のように変更してもよい。
【０１２６】
・上記実施形態では、標準周波数帯域を増強する場合の増強用Ｑ値を１、標準周波数帯域を減衰する場合の減衰用Ｑ値を０．８とし、低周波数帯域および高周波数帯域を増強する場合の増強用Ｑ値を０．９、低周波数帯域および高周波数帯域を減衰する場合の減衰用Ｑ値を０．７としたけれども、低周波数帯域および高周波数帯域における増強用Ｑ値が標準周波数帯域における増強用Ｑ値がよりも小さい値であり、低周波数帯域および高周波数帯域における減衰用Ｑ値が標準周波数帯域における減衰用Ｑ値がよりも小さい値であれば、どのような数値に設定してもよい。
【０１２７】
・各周波数帯域において、周波数帯域を減衰させる場合の減衰用Ｑ値が、周波数帯域を増強させる場合の増強用Ｑ値よりも小さい値であれば、どのような値に設定してもよい。
・上記実施形態では、操作者が入力した増強量から音圧レベルの増加量を求める増加率と、操作者が入力した減衰量から音圧レベルの減少量を求める減少率とを、同じ値に設定したけれども、第１実施形態のように、減少率を増加率よりも大きな値に設定してもよい。また、第２実施形態のように、低周波数帯域における増加率および高周波数帯域における増加率を、標準周波数帯域における増加率よりも大きい値に設定するとともに、低周波
数帯域における減少率および高周波数帯域における減少率を、標準周波数帯域における減少率よりも大きい値に設定するようにしてもよい。
【０１２８】
・上記実施形態では、音質調整の対象となる周波数帯域を３つ設定しているけれども、４つ以上の周波数帯域を設定してもよいし、２つの周波数帯域を設定してもよい。また、音質調整の対象となる周波数帯域を１つだけ設定するようにしてもよい。
【０１２９】
・低周波数帯域および高周波数帯域をそれぞれ２つ以上設定する場合は、増強用Ｑ値を、標準周波数帯域から周波数帯域が遠ざかるにつれて小さい値となるように設定するとともに、減衰用Ｑ値を、標準周波数帯域から遠ざかるにつれて小さい値になるように設定すればよい。これによって、より効果的な音質調整を行うことができる。例えば、中心周波数が１キロヘルツの標準周波数帯域では、増強用Ｑ値を１、減衰用Ｑ値を０．８とし、中心周波数が２５０ヘルツおよび５００ヘルツとする低周波数帯域ならびに中心周波数が２キロヘルツおよび４キロヘルツの高周波数帯域では、増強用Ｑ値を０．９、減衰用Ｑ値を０．７とし、中心周波数が６３ヘルツおよび１２５ヘルツの超低周波数帯域ならびに中心周波数が８キロヘルツおよび１６キロヘルツの超高周波帯域では、増強用Ｑ値を０．８、減衰用Ｑ値を０．６としてもよい。
【０１３０】
（第８の実施形態）
次に、本発明の第８実施形態を、図１１を参照しながら説明する。なお、第８実施形態は、第１実施形態の音質調整態様を変更した構成であるため、同様の部分についてはその詳細な説明を省略する。図１１は、第８実施形態による音質調整態様を示す説明図である。図１１の縦軸は音質調整装置１による音圧レベルの変化量を表し、横軸は周波数を表す。
【０１３１】
第８実施形態では、音圧レベルの変化率およびＱ値をともに変更するようにしている。例えば図１１および下記の表５に示すように、音圧レベルの減少率を、音圧レベルの増加率よりも大きな値に設定するとともに、減衰用Ｑ値を、増強用Ｑ値よりも小さい値に設定している。
【０１３２】
【表５】
2006261809.tif 000007
また、低周波数帯域および高周波数帯域においても、標準周波数帯域と同様の関係が成立している。以上説明したように、第８実施形態においても、第１実施形態と同じ効果を得ることができる。
【０１３３】
第８実施形態は、以下のように変更してもよい。
・下記の表６に示すように、Ｑ値をステップごとに変更するようにしてもよい。
【０１３４】
【表６】
2006261809.tif 000008
上記各実施形態は、以下のように変更してもよい。
【０１３５】
・上記各実施形態では、１キロヘルツよりも低い中心周波数を２５０ヘルツとしたけれども、１キロヘルツよりも低い中心周波数を、例えば６３ヘルツ、１２５ヘルツ、５００ヘルツとしてもよい。また、１キロヘルツよりも高い中心周波数を４キロヘルツとしたけれども、１キロヘルツよりも高い中心周波数を、例えば２キロヘルツ、４キロヘルツ、１６キロヘルツとしてもよい。
【０１３６】
・上記各実施形態は、増強量および減衰量を段階的に変化させて入力するようにしたけれども、連続的に変化させて入力するようにしてもよい。
・上記各実施形態における各種数値は、音質調整装置１の係数記憶部８に予め記憶されている。これらの各種数値は、読出装置１０を選択した場合とチューナ１１を選択した場合とで異なる数値に設定するようにしてもよい。また、これらの各種数値は、再生される曲のジャンルごとに異なる数値に設定するようにしてもよい。さらに、音質調整装置１が車両に搭載される場合は、これらの各種数値を車両の走行状態ごとに異なる数値に設定するようにしてもよい。
【図面の簡単な説明】
【０１３７】
【図１】本発明の第１実施形態である音質調整装置１の構成を示すブロック図。
【図２】音質調整装置１の外観を示す平面図。
【図３】音質調整装置１による音質調整態様を示す説明図。
【図４】第２実施形態における音声調整態様を示す説明図。
【図５】第４実施形態における音質調整時の処理手順を説明するためのフローチャート。
【図６】第４実施形態における音質調整時の処理手順を説明するためのタイミングチャート。
【図７】第５実施形態における音質調整時の処理手順を説明するためのフローチャート。
【図８】第６実施形態における音声調整態様を示す説明図。
【図９】Ｑ値と音圧エネルギとの関係を説明するための説明図。
【図１０】第７実施形態における音声調整態様を示す説明図。
【図１１】第８実施形態における音質調整態様を示す説明図。
【符号の説明】
【０１３８】
１…音質調整装置、２…入力選択部、３…イコライザ部、４…アンプ、５…操作入力部
、７…制御マイコン。
【図１】
2006261809.tif 000009
【図２】
2006261809.tif 000010
【図３】
2006261809.tif 000011
【図４】
2006261809.tif 000012
【図５】
2006261809.tif 000013
【図６】
2006261809.tif 000014
【図７】
2006261809.tif 000015
【図８】
2006261809.tif 000016
【図９】
2006261809.tif 000017
【図１０】
2006261809.tif 000018
【図１１】
2006261809.tif 000019